(57)【特許請求の範囲】
【請求項１】
矩形状平板からなる底板と、
開放端側を上方に向けた状態で所定間隔をおいて並置され、各々の対向する２辺の連結辺部分を桟としてその上面側に前記底板を載置する複数のコ字状枠体であって、対向する２辺の対向面相互間距離を前記底板の一辺の寸法とほぼ等しく設定し、その２辺の対向面側所定位置にはその辺長さ方向に貫通するネジ孔をもつ支持突片を各々固設し、また、全体にわたり４角筒体で構成した該コ字状枠体と、
複数前記支持突片のネジ孔に螺着脱可能な止めネジと、
前記底板の前記一辺に隣接する他辺の寸法とほぼ等しい長さをもつ一対の底板押さえ角棒と、
前記４角筒体のコ字状枠体の連結辺部分における底面ならびに互いに対向する２個の側面を受け止めるコ字状断面部、ならびに前記底板を受け止める水平フランジ部よりなるキャスタ取付枠体を有し、前記水平フランジ部にキャスタを設けたキャスタキットと
を備え、前記底板押さえ角棒は、長さ方向を前記底板の前記他辺と同方向に向け、外側面側を前記コ字状枠体の対向する２辺の各対向面に各別に当接又は近接させた状態で底板上面他辺側に各々位置決め載置され、この底板上面他辺側に載置された各底板押さえ角棒の上方に位置するように各々設定された前記支持突片の各ネジ孔に前記止めネジを上方から螺入することにより、各止めネジ先端部で前記底板押さえ角棒上面を各々押圧し、各底板押さえ角棒と前記コ字状枠体の対向２辺連結辺部分とで前記底板を挟圧支持し、各構成部分を一体化してなることを特徴とするパレット。
【請求項２】
請求項１に記載のパレットにおいて、
前記４角筒体で構成した各コ字状枠体の上端開口部から角筒体内方に各々抜差し可能に挿入される高さ延長用の４角筒体で構成した縦枠であって、この４角筒体縦枠内に、４個の丸パイプを内蔵し、これら丸パイプが、断面で見て、縦枠の４側壁に内接するとともに、隣接する丸パイプ相互が外接するよう設けた該縦枠と、
この縦枠に各々差し込まれ任意高さでネジ止め可能で、各々が底板押さえ角棒の上方にて底板押さえ角棒と同方向に向けられた一対の積載荷物離脱阻止用横棒をその各側にて各々着脱自在に係合保持する横棒掛止め具をもつ受け金具と、
隣り合う一対の縦枠相互をその上部側にて、各々着脱自在に連結するよう、前記縦枠内に内蔵した丸パイプのうちの１個にそれぞれ挿入する両側１対の曲げ端部を有する縦枠連結具としての丸棒と
を備えてなることを特徴とするパレット。
【発明の詳細な説明】
【０００１】
【発明の属する技術分野】
本発明は、工場や倉庫等の作業場内で製品、材料等の荷物をフォークリフトで移動させるときや、工場、倉庫等から購入者のもとへ荷物を運搬するときに、それを積載する荷台として用いられるパレット、特に、スチール製パネル等の長尺物から比較的、中、軽量の荷物の運搬に好適なパレットに関するものである。
【０００２】
【従来の技術】
従来のパレットは、荷物を積載するという目的から強固かつ大掛かりに製作されていた。すなわち、木製のパレットにしても鉄製のパレットにしても、予め決められた大きさ、しかも大は小を兼ねるという観点から比較的大形に、また軽いものから重いものまで兼用できるように強固に製作されていた。
【０００３】
【発明が解決しようとする課題】
このため、例えば、特にスチール製パネル等の長尺物から比較的、中、軽量の荷物を外装パネル等の比較的中、軽量の荷物を工場、倉庫等から購入者のもとへ運搬するときの荷台として用いた場合に、次のような問題が生じた。すなわち、荷物を購入者のもとへ送り届けた後、用済みとなったパレットを事後に発送元の工場、倉庫等に戻す場合、従来のパレットは大形、強固に製作されているので、いわゆる宅急便等、軽便な運送手段で返送できず、また分解も不可能であるので他の荷物との混載運送もできない。このため、結局、別便のトラックをチャータして返送しなければならない等、多大な手間と費用がかかるという問題があった。また、このようなパネルの返送までの間の保管や、工場、倉庫等における不使用時の保管に、大きなスペースを必要とするという問題もあった。
【０００４】
そしてこのような問題は、特に、荷物を多数運搬した場合、すなわち多数のパレットを使用した場合、その保管、返送において顕著なものとなり、従来からこの点についての改善が要望されていた。
【０００５】
そこで、本発明は、パイプ及び角材コンパネ等にて構成される本体で組み立て及び解体が簡単に行える方式のパレットで不使用時或いは用済後での保管スペースの削減が可能で、特に多数の使用、保管に有効なパレット、また、用済み後の返送、それ自体の運送を簡単かつ安価にすることが出来るパレットを提供するこを目的とする。
【０００６】
【課題を解決するための手段】
この目的を達成するため本発明パレットは、矩形状平板からなる底板と、
開放端側を上方に向けた状態で所定間隔をおいて並置され、各々の対向する２辺の連結辺部分を桟としてその上面側に前記底板を載置する複数のコ字状枠体であって、対向する２辺の対向面相互間距離を前記底板の一辺の寸法とほぼ等しく設定し、その２辺の対向面側所定位置にはその辺長さ方向に貫通するネジ孔をもつ支持突片を各々固設し、また、全体にわたり４角筒体で構成した該コ字状枠体と、
複数前記支持突片のネジ孔に螺着脱可能な止めネジと、
前記底板の前記一辺に隣接する他辺の寸法とほぼ等しい長さをもつ一対の底板押さえ角棒と、
前記４角筒体のコ字状枠体の連結辺部分における底面ならびに互いに対向する２個の側面を受け止めるコ字状断面部、ならびに前記底板を受け止める水平フランジ部よりなるキャスタ取付枠体を有し、前記水平フランジ部にキャスタを設けたキャスタキットと
を備え、前記底板押さえ角棒は、長さ方向を前記底板の前記他辺と同方向に向け、外側面側を前記コ字状枠体の対向する２辺の各対向面に各別に当接又は近接させた状態で底板上面他辺側に各々位置決め載置され、この底板上面他辺側に載置された各底板押さえ角棒の上方に位置するように各々設定された前記支持突片の各ネジ孔に前記止めネジを上方から螺入することにより、各止めネジ先端部で前記底板押さえ角棒上面を各々押圧し、各底板押さえ角棒と前記コ字状枠体の対向２辺連結辺部分とで前記底板を挟圧支持し、各構成部分を一体化してなることを特徴とする。
【０００９】
本発明の好適な実施例においては、前記４角筒体で構成したその各コ字状枠体の上端開口部から角筒体内方に各々抜差し可能に挿入される高さ延長用の４角筒体で構成した縦枠であって、この４角筒体縦枠内に、４個の丸パイプを内蔵し、これらパイプが、断面で見て、縦枠の４側壁に内接するとともに、隣接するパイプ相互が外接するよう設けた該縦枠と、この縦枠に各々差し込まれ任意高さでネジ止め可能で、各々が底板押さえ角棒の上方にて底板押さえ角棒と同方向に向けられた一対の積載荷物離脱阻止用横棒をその各側にて各々着脱自在に係合保持する横棒掛止め具をもつ受け金具と、隣り合う一対の縦枠相互をその上部側にて、各々着脱自在に連結するよう、前記縦枠内に内蔵したパイプのうちの１個にそれぞれ挿入する両側１対の曲げ端部を有する縦枠連結具としての丸棒とを備えてなることを特徴とする
【００１０】
【発明の実施の形態】
以下、図面を参照して本発明の実施形態を説明する。図１は本発明によるパレットの一実施形態を示す分解斜視図、図２は同じく正面図、図３は同じく左側面図、図４は同じく平面図、図５は図１〜図４中の縦枠の上端面を拡大して示す図である。各図において、１は底板、２はコ字状枠体、３は止めネジ、４は底板押さえ角棒である。
【００１１】
ここで、上記底板１は矩形状平板、例えば、長方形又は正方形のコンパネからなる。コ字状枠体２は、対向する２辺２ａ、２ｂの対向面相互間距離が底板１の短辺の寸法とほぼ等しく設定され、その２辺２ａ、２ｂの対向面側所定位置にはその辺２ａ、２ｂ長さ方向に貫通するネジ孔２ｃをもつＬ字状の支持突片２ｄが各々固設されている。このコ字状枠体２は、各々対向する２辺２ａ、２ｂの開放端側を上方に向けた状態で所定間隔をおいて複数本、ここでは等間隔に３本、並置されているもので、上記底板１は、その並置された３本のコ字状枠体２の対向する２辺２ａ、２ｂの連結辺２ｅ部分を桟としてその上面側に載置されている。尚、本実施例では、コ字状枠体２を３本として構成したが、これのみに限らず、ハーフタイプの２本のコ字状枠体２を２本や２本以上の枠体として構成してもよく、格別にその数や取り付け形態には限定されない。又、図示するコ字状枠体２はコ字状の形態に限定されることなく、例えば、Ｌ字状のフレームの形態に形成しても良い。
【００１２】
底板押さえ角棒４は上記底板１の長辺の寸法とほぼ等しい長さをもつ、例えば木製の４角柱体からなる。そして、その長さ方向を底板１の長辺と同方向に向け、外側面側をコ字状枠体２の対向する２辺２ａ、２ｂの各対向面に各別に当接又は近接、ここでは当接させた状態で底板１上面の長辺側に各々位置決め載置されている。
【００１３】
止めネジ３はコ字状枠体２に設けられた支持突片２ｄのネジ孔２ｃに螺着脱可能である。この止めネジ３は、上記底板１上面の長辺側に載置された各底板押さえ角棒４の直上に位置するように各々設定された上記支持突片２ｄの各ネジ孔２ｃに上方から螺入される。これにより、各止めネジ３先端面で底板押さえ角棒４上面が各々押圧され、各底板押さえ角棒４とコ字状枠体２の上記連結辺２ｅ部分とで底板１が挟圧支持され、各構成部分（底板１、コ字状枠体２及び底板押さえ角棒４）は一体化される。
【００１４】
以上で本発明パレットの基本的構成がなされるが、本実施形態では次に述べるように構成されることによりパレット高さが延長されている。すなわち、ここでは、上記コ字状枠体２は各々４角筒体からなる。そして、縦枠５と受け金具７と縦枠連結具８（８ａ、８ｂ）とが付加されてなる。
【００１５】
ここで、上記縦枠５は４角筒体からなるコ字状枠体２の上端開口部から４角筒体内方に各々抜差し可能に挿入されている。受け金具７は、縦枠５に各々差し込まれ、任意高さでネジハンドル７ａを締めることによってその高さに固定できる。また、受け金具７は、各々が底板押さえ角棒４の上方にて底板押さえ角棒４と同方向に向けられた一対の積載荷物離脱阻止用横棒６をその各側にて各々着脱自在に係合保持する、例えばコ字状の横棒掛止め具７ｂをもっている。
【００１６】
ここでは、積載荷物離脱阻止用横棒６は木製の帯状板からなり、また横棒掛止め具７ｂはコ字状に形成され、このコ字状の横棒掛止め具７ｂ内方に帯状板からなる上記横棒６が挿着されることで、その横棒６が横棒掛止め具７ｂに着脱自在に係合保持される。積載荷物離脱阻止用横棒６は、荷物（図示せず）の底板１への積載時、それが直接縦枠５等に当らないよう保護することにも役立つ。
【００１７】
縦枠連結具８は、隣り合う一対の縦枠５、５相互をその上部側にて、各々着脱自在の係合構造をもって連結するものである。ここでは、前後方向（図３中、左右方向）に対をなす縦枠５、５相互間には中央にターンバックル８ａ１が付いたほぼコ字状の丸棒８ａが、左右方向（図２中、左右方向）に対をなす縦枠５、５相互間にはほぼコ字状の丸棒８ｂが用いられている。各丸棒８ａ、８ｂと各縦枠５との係合は、各縦枠５の上端開口部内に挿入、固定された丸パイプ５ａ（図５参照）に丸棒８ａ、８ｂの各端部を挿入することによりなされる。
【００１８】
尚、図１のみに示すキャスタキット９は各々一対のキャスタ９ａがキャスタ取付け枠体９ｂの両端側に取り付けられてなるもので、図１に示すようにコ字状枠体２の連結辺２ｅ部分に下方から任意に着脱自在である。キャスタキット９の装着によれば、パレット全体が手押し走行可能になり、移動性が向上する。
【００１９】
上述本発明パレットは、例えば下記（１）〜（１０）に述べる手順で組み立てられる。（１）底板１に１本のコ字状枠体２を側方から差し込み、中央付近まで移動する。（２）底板１の両側方から各１本のコ字状枠体２を差し込む。（３）３本のコ字状枠体２を等間隔位置に移動する。（４）底板押さえ角棒４を底板１と支持突片２ｄの間に差し込み、止めネジ３で固定する。この手順（４）にて本発明パレットの基本的構成がなされる。パレット高さを延長する必要がなければ、この構成にて平面パレットとして使用可能である。
【００２０】
ここでは、パレット高さが延長された本発明パレットを例示するもので、引き続き次の手順を経て本発明パレット完成となる。（５）コ字状枠体２の上端開口部の各々に縦枠５を差し込む。（６）各縦枠５に受け金具７を上端より差し込む。この時、受け金具７の横棒掛止め具７ｂが内側を向くように差し込む。（７）受け金具７に積載荷物離脱阻止用横棒６を係合し、荷物、ここでは外装パネル（図示せず）を底板１上に積載する。（８）前後方向に対をなす縦枠５、５相互間にはターンバックル８ａ１が付いた丸棒８ａを、左右方向に対をなす縦枠５、５相互間には丸棒８ｂを、各々縦枠５の上端開口部内に挿入、固定された丸パイプ５ａに丸棒８ａ、８ｂの両側に設けた各曲げ端部を挿入し、隣り合う一対の縦枠５、５相互をその上端にて連結する。（９）丸棒８ａのターンバックル８ａ１を絞り込み調整する。（１０）必要に応じてキャスタキット９をコ字状枠体２の連結辺２ｅ部分に装着する。装着は上記手順（９）を終えた段階の本発明パレットをリフトアップして行う。手順（４）あるいは（２）を終えた段階でも装着可能である。
【００２１】
本発明パレットは、上述組立手順とは逆の手順で分解可能であり、更に組立、分解を繰り返すことが可能である。しかも、組立における各部の支持固定は、ネジ止め、填め込み又は係合構造をもって行われるので組立、分解を簡単に行い得る。
【００２２】
したがって、用済みとなったパレットを事後に発送元の工場、倉庫等に戻す場合、いわゆる宅急便等、軽便な運送手段での返送や他の荷物との混載運送も可能となり、手間と費用を節減できる。また、このようなパレットの返送までの間の保管や、工場、倉庫等における不使用時の保管に、大きなスペースを必要としないという利点もある。したがって、特に、荷物を多数運搬した場合、すなわち多数のパレットを使用した場合、その保管、返送における手間と費用は大幅に節減されるという利点がある。
【００２３】
更に、上述本発明パレットによれば、縦枠５の着脱あるいは所望の長さの縦枠５の選択使用が可能であり、したがって、必要なときに必要な縦枠５を選択し、その高さを調整しての使用が可能になるという利点もある。
【００２４】
【発明の効果】
以上説明したように本発明によれば、パイプ及び角材コンパネ等にて構成される本体で組み立て及び解体が簡単に行える方式のパレットであることを特徴とし、不使用時或いは用済後での保管スペースの削減が可能で、特に、用済み後の返送等、それ自体の運送を簡単かつ安価に行うことができ、また、用済み後あるいは不使用時での保管スペースの削減が可能で、特に多数の使用、保管に有効なパレットを提供できるという効果がある。
【図面の簡単な説明】
【図１】本発明によるパレットの一実施形態を示す分解斜視図である。
【図２】同じく正面図である。
【図３】同じく左側面図である。
【図４】同じく平面図である。
【図５】図１〜図４中の縦枠の上端面を拡大して示す図である。
【符号の説明】
１ 底板
２ コ字状枠体
２ａ、２ｂ コ字状枠体対向２辺
２ｃ ネジ孔
２ｄ 支持突片
２ｅ 対向２辺連結辺
３ 止めネジ
４ 底板押さえ角棒
５ 縦枠
５ａ 丸パイプ
６ 積載荷物離脱阻止用横棒
７ 受け金具
７ａ ネジハンドル
７ｂ 横棒掛止め具
８ 縦枠連結具
８ａ ターンバックル付き丸棒（縦枠連結具）
８ｂ丸棒（縦枠連結具）
９ キャスタキット
９ａ キャスタ
９ｂ キャスタ取付け枠体
【図１】
0003971054.tif 000002
【図２】
0003971054.tif 000003
【図３】
0003971054.tif 000004
【図４】
0003971054.tif 000005
【図５】
0003971054.tif 000006